(57)【要約】【課題】上面に土等が付着して積み重なることがなく、かつ、それ自体も軽量な補助踏み桟を提供することにより、梯子の軽量化を損なうことなく、ぬかるんだ地面上で梯子を使用したときでも使用者の安全を確保する。【解決手段】左右一対の脚柱３ａと脚柱３ｂとの間に水平方向に固定された第一杆５と、該第一杆と略同一の高さにて該脚柱３ａ、３ｂに固定された略コ字状の第二杆７とよりなる略四角形の枠状に形成された踏み桟１を備えた梯子において、前記踏み桟における第一杆と第二杆との間に着脱自在に架設し得る左右一対の支持部材１３ａ、１３ｂと、一方の支持部材１３ａと他方の支持部材１３ｂとの間に取り付けた中杆１５とよりなる補助踏み桟１１を前記踏み桟に着脱自在に備えさせたことを特徴とする梯子。【選択図】図２
2017133268.tif 000002
【特許請求の範囲】
【請求項１】
左右一対の脚柱と脚柱との間に水平方向に固定された第一杆と、該第一杆と略同一の高さにて該脚柱に固定された略コ字状の第二杆とよりなる略四角形の枠状に形成された踏み桟を備えた梯子において、
前記踏み桟における第一杆と第二杆との間に着脱自在に架設し得る左右一対の支持部材と、一方の支持部材と他方の支持部材との間に取り付けた中杆とよりなる補助踏み桟を前記踏み桟に着脱自在に備えさせたことを特徴とする梯子。
【請求項２】
前記補助踏み桟における各支持部材は、一端に前記第一杆に対し嵌脱自在の開口端を備え、他端に前記第二杆に対し嵌脱自在の開口端を備えさせたことを特徴とする請求項１に記載の梯子。
【請求項３】
前記中杆は、固着具により各支持部材に固定することを特徴とする請求項１又は２に記載の梯子。
【請求項４】
前記各支持部材はポリカーボネートにより形成することを特徴とする請求項１〜３のいずれかに記載の梯子。
【発明の詳細な説明】
【技術分野】
【０００１】
本発明は、園芸、農業、建築等の作業に用いられる梯子に関するものであり、特に梯子の踏み桟に係るものである。
【０００２】
本出願における「梯子」には、三脚及び脚立が含まれるものとする。
【背景技術】
【０００３】
図１３に示すように、梯子の踏み桟１は、一般に、左右一対の脚柱３ａと脚柱３ｂとの間に水平方向に固定された第一杆５と、該第一杆５と略同一の高さにて該脚柱３ａ、３ｂに固定された略コ字状の第二杆７とよりなる略四角形の枠状に形成されている。
【０００４】
しかるに、上記従来の踏み桟１においては、踏み桟１における第一杆５と第二杆７との間に空間部９がある。したがって、例えばぬかるんだ地面上で梯子を使用する際には、土が靴裏に付着するため、梯子の使用者が踏み桟１上に乗ったときに滑り、靴が該空間部９に嵌まり込んで、怪我をするおそれがある。特に、足が小さい女性等の場合にはこのような怪我のおそれが大きい。
【０００５】
このような怪我を防止するために、特開２０１３−２３４５０３号公報は、梯子の踏み桟に着脱自在に取り付けられる踏み板を開示している。この踏み板は、梯子の踏み桟１における前記空間部９の全面を塞ぐものである。
【０００６】
一方、梯子は、軽量化して使用者の負担を軽減するために、前記略四角形の枠状の踏み桟を含む全体が一般にアルミニウムの中空杆（中空パイプ）により形成されている。
【０００７】
しかるに、前記特開２０１３−２３４５０３号公報に示す踏み板は、踏み桟１の空間部９の全面を塞ぐものであって面積が大きいため、アルミニウムの中空杆により形成された軽量の梯子においても、その重量を増加させることになる。特に、該踏み板の上面に靴底の土等が付着し、積み重なって盛り上がることがある。このように、踏み板上に土等が積み重なったときには、全体をアルミニウムの中空杆により形成することにより軽量化を図ったはずの梯子の重量が増加してしまうことになる。また、踏み板上に土が盛り上がったときには、使用者が滑って梯子から落下するおそれもある。
【先行技術文献】
【特許文献】
【０００８】
【特許文献１】特開２０１３−２３４５０３号公報
【発明の概要】
【発明が解決しようとする課題】
【０００９】
本発明は、従来の梯子の踏み桟における上述の如き問題を解決し、上面に土等が付着して積み重なることがなく、かつ、それ自体も軽量な補助踏み桟を提供することにより、梯子の軽量化を損なうことなく、ぬかるんだ地面上で梯子を使用したときでも使用者の安全を確保することを目的とするものである。
【課題を解決するための手段】
【００１０】
上記課題を解決するために、本発明は、下記の梯子を提供するものである。
【００１１】
（１）左右一対の脚柱と脚柱との間に水平方向に固定された第一杆と、該第一杆と略同一の高さにて該脚柱に固定された略コ字状の第二杆とよりなる略四角形の枠状に形成された踏み桟を備えた梯子において、
前記踏み桟における第一杆と第二杆との間に着脱自在に架設し得る左右一対の支持部材と、一方の支持部材と他方の支持部材との間に取り付けた中杆とよりなる補助踏み桟を前記踏み桟に着脱自在に備えさせたことを特徴とする梯子（請求項１）。
【００１２】
（２）前記補助踏み桟における各支持部材は、一端に前記第一杆に対し嵌脱自在の開口端を備え、他端に前記第二杆に対し嵌脱自在の開口端を備えさせる（請求項２）。
【００１３】
（３）前記中杆は、固着具により各支持部材に固定する（請求項３）。
【００１４】
（４）前記各支持部材はポリカーボネートにより形成する（請求項４）。
【発明の効果】
【００１５】
[請求項１の発明]
補助踏み桟は、梯子の踏み桟における第一杆と第二杆との間に着脱自在に架設し得る左右一対の支持部材と、一方の支持部材と他方の支持部材との間に取り付けた中杆とよりなるものであるため、該補助踏み桟を梯子の踏み桟に取り付けたときには、一対の支持部材と中杆とが該踏み桟の空間部にまたがるように位置するため、使用者の靴に土が付着しているときでも靴が滑って該空間部に嵌まり込むおそれがない。したがって、靴が該空間部に嵌まり込むことによる使用者の怪我は防止される。なお、補助踏み桟は梯子の踏み桟に対し着脱自在であるため、補助踏み桟は既存の梯子に対しても取り付けることができる。
【００１６】
補助踏み桟は一対の支持部材と中杆とよりなり、該補助踏み桟と梯子の踏み桟における第一杆、第二杆との間に隙間１０ａ、１０ｂ、１０ｃ、１０ｄ（図２参照）が存在する。したがって、前記特開２０１３−２３４５０３号公報に示す踏み板と異なり、アルミニウムの中空杆により形成することにより軽量化を図ったはずの梯子の重量が増加してしまうこともない。また、補助踏み桟と梯子の踏み桟における第一杆、第二杆との間に隙間１０ａ、１０ｂ、１０ｃ、１０ｄが存在するため、靴底に土等が付着している場合でも、靴底の土等は当該隙間から落下する。したがって、梯子の踏み桟に補助踏み桟を取り付けたときには、該補助踏み桟上に土等が積み重なって梯子の重量が増加し、あるいは使用者が滑って梯子から落下するおそれもない。
【００１７】
[請求項２の発明]
補助踏み桟における各支持部材は、一端に前記第一杆に対し嵌脱自在の開口端を備え、他端に前記第二杆に対し嵌脱自在の開口端を備えているため、補助踏み桟を梯子の踏み桟に着脱する作業は極めて容易である。
【００１８】
[請求項３の発明]
補助踏み桟における中杆は、固着具により各支持部材に固定するようにしたため、中杆が各支持部材に対し左右方向にずれることが防止される。
【００１９】
[請求項４の発明]
補助踏み桟における各支持部材はポリカーボネートにより形成するため、各支持部材は軽量に形成することができる。
【図面の簡単な説明】
【００２０】
【図１】図１は、本発明による梯子の一例を示す斜視図である。
【図２】図２は、補助踏み桟を梯子の踏み桟に取り付けた状態の一例を示す斜視図である。
【図３】図３は、補助踏み桟を梯子の踏み桟に取り付けた状態の一例を示す底面図である。
【図４】図４は、補助踏み桟の一例を示す斜視図である。
【図５】図５は、補助踏み桟における支持部材の一例を示す斜視図である。
【図６】図６は、同上支持部材の側面図である。
【図７】図７は、補助踏み桟の一例を分解して示す斜視図である。
【図８】図８は、中杆を各支持部材に固定した状態の一例を示す斜視図である。
【図９】図９は、補助踏み桟を梯子の踏み桟に取り付けた状態の一例を示す側面図である。
【図１０】図１０は、補助踏み桟を梯子の踏み桟に取り付けた状態の別の一例を示す底面図である。
【図１１】図１１は、補助踏み桟の別の一例を分解して示す斜視図である。
【図１２】図１２は、補助踏み桟を梯子の踏み桟に取り付けた状態の別の一例を示す側面図である。
【図１３】図１３は、従来の梯子における踏み桟を示す斜視図である。
【発明を実施するための形態】
【００２１】
図１に示す梯子は三脚である。梯子は複数の踏み桟１、１・・・を備えている。各踏み桟１は、従来の梯子における踏み桟と同様に、左右一対の脚柱３ａと脚柱３ｂとの間に水平方向に固定された第一杆５と、該第一杆５と略同一の高さにて該脚柱３ａ、３ｂに固定された略コ字状の第二杆７とよりなる略四角形の枠状に形成されている。符号５ａに示すものは、第一杆５の上面に備えさせた凹凸等の滑り止めである。
【００２２】
梯子は、軽量化して使用者の負担を軽減するために、踏み桟１、１・・・を含む全体がアルミニウムの中空杆（中空パイプ）により形成される。
【００２３】
しかして、本発明による梯子おいては、踏み桟１に補助踏み桟１１を着脱自在に備えさせる。
【００２４】
補助踏み桟１１は、梯子の踏み桟１における第一杆５と第二杆７との間に着脱自在に架設し得る左右一対の支持部材１３ａ、１３ｂと、一方の支持部材１３ａと他方の支持部材３ｂとの間に取り付けた中杆１５とよりなるものである。
【００２５】
補助踏み桟１１における各支持部材１３ａ、１３ｂは、一端に前記第一杆５に対し嵌脱自在の開口端１７ａ、１７ｂを備え、他端に前記第二杆７に対し嵌脱自在の開口端１８ａ、１８ｂを備えさせる。
【００２６】
図示の事例においては、一方の開口端１７ａ、１７ｂは一例として水平方向に開口した略Ｕ字状に形成し、他方の開口端１８ａ、１８ｂは一例として下方に開口した略Ｕ字状に形成する。この事例においては、各支持部材１３ａ、１３ｂを梯子の踏み桟１における第一杆５と第二杆７とに取り付ける際には、まず一方の開口端１７ａ、１７ｂを第一杆５に嵌着した後、他方の開口端１８ａ、１８ｂを上方から第二杆７に嵌着する。
【００２７】
前記中杆１５は、固着具１９ａ、１９ｂにより各支持部材１３ａ、１３ｂに固定する。すなわち、各支持部材１３ａ、１３ｂに中杆１５の挿通孔２１ａ、２１ｂを備えさせ、該挿通孔２１ａ、２１ｂに中杆１５を挿通し、該中杆１５を固着具１９ａ、１９ｂにより該挿通孔２１ａ、２１ｂに固着する。
【００２８】
図７〜図１０に示す事例においては、中杆１５を中空杆とし、各支持部材１３ａ、１３ｂに中杆１５の挿通孔２１ａ、２１ｂを備えさせ、該挿通孔２１ａ、２１ｂに中杆１５を挿通し、該挿通孔２１ａ、２１ｂの内径よりも大径の頭部２３ａ、２３ｂを有する固着具１９ａ、１９ｂを各挿通孔２１ａ、２１ｂの外方より中杆１５の中央孔１５ａ内に螺合させる。
【００２９】
図１１、図１２に示す事例においては、各支持部材１３ａ、１３ｂに中杆１５の挿通孔２１ａ、２１ｂを備えさせ、該挿通孔２１ａ、２１ｂに中杆１５を挿通し、固着具１９ａ、１９ｂを下方より各挿通孔２１ａ、２１ｂを貫通させて該中杆１５に螺合させる。
【００３０】
前記各支持部材１３ａ、１３ｂは、好ましくはポリカーボネートにより形成する。
【符号の説明】
【００３１】
１  踏み桟
３ａ  脚柱
３ｂ  脚柱
５  第一杆
５ａ  滑り止め  
７  第二杆
９  空間部
１０ａ  隙間
１０ｂ  隙間
１０ｃ  隙間
１０ｄ  隙間
１１  補助踏み桟
１３ａ  支持部材
１３ｂ  支持部材
１５  中杆
１５ａ  中央孔
１７ａ  開口端
１７ｂ  開口端
１８ａ  開口端
１８ｂ  開口端
１９ａ  固着具
１９ｂ  固着具
２１ａ  挿通孔
２１ｂ  挿通孔
２３ａ  頭部
２３ｂ  頭部
【図１】
2017133268.tif 000003
【図２】
2017133268.tif 000004
【図３】
2017133268.tif 000005
【図４】
2017133268.tif 000006
【図５】
2017133268.tif 000007
【図６】
2017133268.tif 000008
【図７】
2017133268.tif 000009
【図８】
2017133268.tif 000010
【図９】
2017133268.tif 000011
【図１０】
2017133268.tif 000012
【図１１】
2017133268.tif 000013
【図１２】
2017133268.tif 000014
【図１３】
2017133268.tif 000015